(57)【要約】【課題】容易につり合いおもりの質量を相対的に変化させ乗かごを移動することができるとともに、安全に乗かごの移動を行えるエレベーター装置の提供。【解決手段】つり合いおもり４を分割してその一部を、エレベーターの定格積載量の２分の１以上の質量を有するとともに他のおもり４ａの下方に所定間隔を介して移動可能に配置される調整おもり４ｂとし、かつ、調整おもり４ｂの上部に一端を係止可能な索状体２０と、つり合いおもり４の垂直投影面近傍であり昇降路底部から所定高さ位置にて索状体２０の中間部を移動可能に懸架する懸架支点２１と、索状体２０の他端に連結され索状体２０を介して調整おもり４ｂを揚重する揚重手段、すなわちチェーンブロック２８とを備え、チェーンブロック２８により調整おもり４ｂを揚重してつり合いおもり４の質量を乗かご２の質量より小さくし、この状態で巻上機のブレーキを開放して乗かご２を下方に移動させる。【選択図】図２
2006256760.tif 000002
【特許請求の範囲】
【請求項１】
昇降路内を昇降する乗かごと、この乗かごとロープを介して連結されるつり合いおもりと、前記昇降路内に設けられるとともに前記ロープの中間部が巻回され、前記ロープに駆動力を伝達して前記乗かごおよび前記つり合いおもりをつるべ式にて昇降させる巻上機と、前記昇降路の上部に設置され、前記乗かご上に作業員が乗り込み保守点検・修理を行うことを要する制御盤とを備えたエレベーター装置において、
前記つり合いおもりを分割してその一部を、エレベーターの定格積載量の２分の１以上の質量を有するとともに他のおもりの下方に所定間隔を介して移動可能に配置される調整おもりとし、かつ、前記調整おもりの上部に一端を係止可能な索状体と、前記つり合いおもりの垂直投影面近傍であり昇降路底部から所定高さ位置にて前記索状体の中間部を移動可能に懸架する懸架支点と、前記索状体の他端に連結され前記索状体を介して前記調整おもりを揚重する揚重手段とを備えたことを特徴とするエレベーター装置。
【請求項２】
前記調整おもりは、ガイド手段によりその移動が案内されることを特徴とする請求項１記載のエレベーター装置。
【請求項３】
前記揚重手段は、一端が前記索状体、他端が前記昇降路底部に連結されるチェーンブロックから成ることを特徴とする請求項１記載のエレベーター装置。
【発明の詳細な説明】
【技術分野】
【０００１】
本発明は、エレベーター装置に係り、特に、乗かごおよびつり合いおもりをロープを介してつるべ式にて昇降させるエレベーター装置に関する。
【背景技術】
【０００２】
昇降路内を昇降する乗かごと、この乗かごとロープを介して連結されるつり合いおもりと、前記昇降路内に設けられるとともに前記ロープの中間部が巻回され、前記ロープに駆動力を伝達して前記乗かごおよび前記つり合いおもりをつるべ式にて昇降させる巻上機と、前記昇降路の上部に設置され、前記乗かご上に作業員が乗り込み保守点検を行うことを要する制御盤とを備えたエレベーター装置にあっては、通常、つり合いおもりの質量は、乗かごの質量とエレベーターの定格積載量の２分の１との和に設定されており、前記乗かごの積載量が前記定格積載量の半分以下の場合には、つり合いおもりの方が重い。このため、前記定格積載量の半分より少ない積載量の前記乗かごが最上階付近で、すなわち最上階床面より高い高さ位置に乗かご天井が位置した状態で前記乗かごが停止して前記制御盤が故障すると、前記巻上機のブレーキを開放しても前記乗かごは上方に移動するため、作業員は前記乗かご上に乗り込むことができず、前記制御盤の修理を行うことができなかった。このため従来、前記つり合いおもりの一部を着脱可能な構造とし、必要時に着脱可能なおもりを切り離すことにより前記つり合いおもりの質量を前記乗かごより軽くし、しかる後、前記巻上機のブレーキを開放して前記乗かごを下方に移動せしめ、最上階から作業者が前記乗かご上に乗り込むことを可能としたものが提案されている（例えば、特許文献１参照）。
【特許文献１】特開２００１−１９２１９０号公報（段落番号００１４〜００１９、図３）
【発明の開示】
【発明が解決しようとする課題】
【０００３】
しかしながら、前述した従来のものでは、最上階付近で停止した乗かごを巻上機のブレーキを開放して下方に移動させる際、つり合いおもりの質量を前記乗かごより軽くするためにエレベーターの定格積載量の２分の１以上の質量となる着脱可能なおもりを手作業により取外すとともに、通常状態に復帰するために取外したおもりを再び手作業によりを装着することから、特に、定格積載量の大きなエレベーターの場合、多大の労力の伴う作業を要するという問題があった。また、従来のものでは、つり合いおもりの質量を乗かごの質量より小さくした状態で巻上機のブレーキを開放することにより乗かごを下降させるが、巻上機のブレーキを再度掛けるタイミングを逸すると必要以上に乗かごが下降し、危険が伴うという問題もあった。
【０００４】
本発明は、前述した従来技術における実状からなされたもので、その目的は、容易につり合いおもりの質量を相対的に変化させ乗かごを移動することができるとともに、安全に乗かごの移動を行うことのできるエレベーター装置を提供することにある。
【課題を解決するための手段】
【０００５】
前記目的を達成するために、本発明は、昇降路内を昇降する乗かごと、この乗かごとロープを介して連結されるつり合いおもりと、前記昇降路内に設けられるとともに前記ロープの中間部が巻回され、前記ロープに駆動力を伝達して前記乗かごおよび前記つり合いおもりをつるべ式にて昇降させる巻上機と、前記昇降路の上部に設置され、前記乗かご上に作業員が乗り込み保守点検・修理を行うことを要する制御盤とを備えたエレベーター装置において、前記つり合いおもりを分割してその一部を、エレベーターの定格積載量の２分の１以上の質量を有するとともに他のおもりの下方に所定間隔を介して移動可能に配置される調整おもりとし、かつ、前記調整おもりの上部に一端を係止可能な索状体と、前記つり合いおもりの垂直投影面近傍であり昇降路底部から所定高さ位置にて前記索状体の中間部を移動可能に懸架する懸架支点と、前記索状体の他端に連結され前記索状体を介して前記調整おもりを揚重する揚重手段とを備えたことを特徴としている。
【０００６】
このように構成した本発明は、最上階付近で停止した前記乗かごを前記巻上機のブレーキを開放して下方に移動させる場合、その中間部が、前記つり合いおもりの垂直投影面近傍であり前記昇降路底部から所定高さ位置に配置された前記懸架支点に移動可能に懸架された前記索状体の一端を前記調整おもりの上部に係止するとともに、前記索状体の他端に前記揚重手段を連結し、この状態で前記揚重手段を操作して前記索状体を介して前記調整おもりを揚重し、所定間隔を介して配置される他のおもり方向に持ち上げる。エレベーターの定格積載量の２分の１以上の質量を有する前記調整おもりを揚重することにより、前記つり合いおもりの質量が前記乗かごの質量より小さくなり、この状態で前記巻上機のブレーキを開放すると前記乗かごは下方に移動する。
【０００７】
このように、エレベーターの定格積載量の２分の１以上の質量を有する前記調整おもりを前記揚重手段により揚重可能とすることにより、容易に前記つり合いおもりの質量を相対的に変化させ前記乗かごを移動することができる。また、前記巻上機のブレーキを開放した際、前記乗かごは前記調整おもりの揚重距離のみ下降可能であることから、万一、前記ブレーキを掛けるタイミングを逸したとしても、揚重した前記調整おもりの底面に前記つり合いおもりの底部が当接した時点で前記つり合いおもりの質量が前記乗かごの質量より大きくなり、前記乗かごの移動は必然的に停止する。このように言わば２重のブレーキにより前記乗かごの下降が制限されることから、安全に乗かごの移動を行うことができる。
【発明の効果】
【０００８】
本発明は、エレベーターの定格積載量の２分の１以上の質量を有する調整おもりを揚重手段により揚重可能とすることにより、容易につり合いおもりの質量を相対的に変化させ乗かごを移動することができ、これによって、前記乗かごの移動作業に要する時間および労力の低減を図ることができる。
【０００９】
また、巻上機のブレーキを開放した際、前記乗かごは前記調整おもりの揚重距離のみ下降可能であることから、万一、前記ブレーキを掛けるタイミングを逸したとしても、揚重した前記調整おもりの底面に前記つり合いおもりの底部が当接した時点で前記つり合いおもりの質量が前記乗かごの質量より大きくなり、前記乗かごの移動は必然的に停止する。このように言わば２重のブレーキにより前記乗かごの下降が制限されることから、安全に乗かごの移動を行うことができる。
【発明を実施するための最良の形態】
【００１０】
以下、本発明に係るエレベーター装置の実施の形態を図に基づいて説明する。
【００１１】
図１は本発明のエレベーター装置の一実施形態の概略構成を示す断面図、図２は本発明のエレベーター装置の一実施形態の要部構成を示す斜視図、図３は本発明のエレベーター装置の一実施形態の作業要領を示す断面図、図４は本発明のエレベーター装置の一実施形態の作業要領を示す断面図である。
【００１２】
エレベーター装置は図１に示すように、昇降路１内を昇降する乗かご２と、この乗かご２とロープ３を介して連結されるつり合いおもり４と、昇降路１内に設けられるとともにロープ３の中間部が巻回され、ロープ３に駆動力を伝達して乗かご２およびつり合いおもり４をつるべ式にて昇降させる巻上機５と、昇降路１の上部に設置され、乗かご２上に作業員が乗り込み保守点検・修理を行うことを要する制御盤６と、昇降路１の最下部に形成されるピット７に設置されるつり合いおもり用緩衝器８とを備えている。また、前記のロープ３は、昇降路１上部に設置されたかご側ロープ止め９から下方に伸び、かご綱車１０ａ、１０ｂを経由して上方に伸びて巻上機５の駆動シーブ１１に巻き掛けられ、下方のつり合いおもり４に設けられたつり合いおもり綱車１２を経由し、昇降路１上部のつり合いおもり側ロープ止め１３に至るようになっている。なお、図中では最上階１４および最下階１５を記載し、他の階床は省略してある。
【００１３】
そして、本実施形態のエレベーター装置では図２に示すように、つり合いおもり４を分割してその一部を、エレベーターの定格積載量の２分の１以上の質量を有するとともに他のおもり４ａの下方に所定間隔を介して移動可能に配置される調整おもり４ｂとし、かつ、調整おもり４ｂの上部に一端を係止可能な索状体２０と、つり合いおもり４の垂直投影面近傍であり昇降路１底部から所定高さ位置にて索状体２０の中間部を移動可能に懸架する懸架支点２１と、索状体２０の他端に連結され索状体２０を介して調整おもり４ｂを揚重する揚重手段とを備えている。
【００１４】
また、つり合いおもり４は、縦梁４ｃ、４ｄ、つり合いおもり綱車１２が装着される上梁４ｅ、他のおもり４ａが載置される中間梁４ｆ、および中間梁４ｆから所定間隔を介して設けられ調整おもり４ｂが載置される下枠４ｇを有しているとともに、中間梁４ｆ下部には、索状体２０が挿通され、索状体２０により調整おもり４ｂを鉛直方向に揚重するためのガイド体２２が装着されており、かつ、縦梁４ｄには、索状体２０が挿通される孔２３が形成されている。
【００１５】
さらに、調整おもり４ｂは、ガイド手段、すなわち、調整おもり４ｂの両端に形成される溝部２４、および縦梁４ｃ、４ｄの調整おもり４ｂに対向する面に立設されるレール体２５によりその移動が案内されるとともに、その上面に、索状体２０の一端が係止される係止体２６が設けられている。また、前述した揚重手段は、例えば一端が索状体２０、他端が昇降路１底部、すなわちピット７に固定された連結体２７に連結されるチェーンブロック２８から成っている。
【００１６】
本実施形態のエレベーター装置にあっては、図３に示すようにエレベーターの定格積載量の半分より少ない積載量の乗かご２が最上階付近で、すなわち最上階床面より高い高さ位置に乗かご天井が位置した状態で停止し制御盤６が故障した場合、まず、作業員はピット７にて、中間部があらかじめ懸架支点２１に移動可能に懸架された索状体２０の一端を孔２３およびガイド体２２に挿通するとともに、調整おもり４ｂ上面の係止体２６に係止し、また、チェーンブロック２８の一端を索状体２０に連結するとともに、その他端を連結体２７に連結する。この後、チェーンブロック２８を操作して索状体２０を介して調整おもり４ｂを揚重し、所定間隔を介して配置される他のおもり４ａ方向に持ち上げる。
【００１７】
このように定格積載量の２分の１以上の質量を有する調整おもり４ｂを揚重することにより、つり合いおもり４の質量が乗かご２の質量より小さくなり、この状態で巻上機５のブレーキを開放すると乗かご２は下方に移動する。このとき、調整おもり４ｂの揚重距離が乗かご２の移動距離となるが、本実施形態のエレベーター装置では調整おもり４ｂの揚重距離は中間梁４ｆ近傍までと構造上限られていることから、１度のチェーンブロック２８の操作による調整おもり４ｂの揚重で得られる乗かご２の移動距離が、作業員が最上階１４から乗かご２天井に乗り込むにために必要な移動距離に至らない場合、チェーンブロック２８の操作による調整おもり４ｂの揚重を複数回繰り返すことにより、必要な乗かご２の移動距離を得ることができる。すなわち、一旦、調整おもり４ｂの下端に下梁４ｇが当接して乗かご２の移動が止まった後、再びチェーンブロック２８を操作して調整おもり４ｂを揚重することにより、乗かご２をさらに下降させることができる。しかる後、図４に示すように作業員は最上階１４から乗かご２天井に乗り込み、制御盤６の修理を行う。
【００１８】
このように構成した本実施形態のエレベーター装置では、エレベーターの定格積載量の２分の１以上の質量を有する調整おもり４ｂをチェーンブロック２８により揚重可能とすることにより、容易につり合いおもり４の質量を相対的に変化させ乗かご２を移動することができ、これによって、乗かご２の移動作業に要する時間および労力の低減を図ることができる。また、巻上機５のブレーキを開放した際、乗かご２は調整おもりの揚重距離のみ下降可能であることから、万一、巻上機５のブレーキを掛けるタイミングを逸したとしても、調整おもり４ｂの底面につり合いおもり４の底部、すなわち下梁４ｇが当接した時点でつり合いおもり４の質量が乗かご２の質量より大きくなり、乗かご２の移動は必然的に停止する。このように言わば２重のブレーキにより乗かご２の下降が制限されることから、安全に乗かご２の移動を行うことができる。
【００１９】
なお、本実施形態では、索状体２０はその中間部があらかじめ懸架支点２１に移動可能に懸架されたものとしたが、本発明はこれに限らず、必要時に索状体２０の中間部を懸架支点２１に移動可能に懸架するようにしてもよいことは勿論である。
【図面の簡単な説明】
【００２０】
【図１】本発明のエレベーター装置の一実施形態の概略構成を示す断面図である。
【図２】本発明のエレベーター装置の一実施形態の要部構成を示す斜視図である。
【図３】本発明のエレベーター装置の一実施形態の作業要領を示す断面図である。
【図４】本発明のエレベーター装置の一実施形態の作業要領を示す断面図である。
【符号の説明】
【００２１】
１  昇降路
２  乗かご
３  ロープ
４  つり合いおもり
４ａ  他のおもり
４ｂ  調整おもり
５  巻上機
６  制御盤
１４  最上階
１５  最下階
２０  索状体
２１  懸架支点
２４  溝部
２５  レール体
２７  連結体
２８  チェーンブロック
【図１】
2006256760.tif 000003
【図２】
2006256760.tif 000004
【図３】
2006256760.tif 000005
【図４】
2006256760.tif 000006